(57)【要約】  【課題】  フック部と吊具本体との間の距離を短縮することができ、適宜の物体に対する吊具本体の位置を高くすることができ、しかも、吊具本体に対する位置を自由に変えることができるフック部に関係なく把持し易い位置に操作部材を位置させることができるようにする。  【解決手段】  洗濯物が吊下げられる吊具本体１と、該吊具本体１に回転自在に取着され、竿体に掛止するフック部２１を有する掛止部材２と、フック部２１の開放口２１ａを開閉する開閉部材３と、該開閉部材３を動作させる操作部材４とを備え、該操作部材４を吊具本体１に取着し、該操作部材４の操作力を開閉部材３に伝動する伝動軸５１と、該移動軸５１の周りに配され、開閉部材３を閉方向へ付勢するコイルバネ７とを設けた。【選択図】        図１
2007089661.tif 000002
【特許請求の範囲】
【請求項１】
被吊物が吊下げられる吊具本体と、一部を開放してあるフック部を有し、前記吊具本体を適宜の物体に掛止する掛止部材と、前記フック部の開放口を開閉する開閉部材と、該開閉部材を動作させる操作部材とを備える吊具において、前記操作部材は前記吊具本体に取着されており、該操作部材の操作力を前記開閉部材に伝動する伝動手段を備えることを特徴とする吊具。
【請求項２】
前記伝動手段は、前記操作部材にその一端が当接し、その他端が前記開閉部材に連動連結された移動軸を備え、該移動軸の周りに、前記開閉部材を閉方向へ付勢するコイルバネを配してある請求項１記載の吊具。
【請求項３】
前記掛止部材は前記吊具本体に回転自在に取着される筒部を有し、該筒部内に前記移動軸及びコイルバネを収容してあり、前記吊具本体は前記筒部が挿嵌される孔及び前記操作部材と対向する柄部を有する請求項１又は２記載の吊具。
【請求項４】
前記吊具本体は前記操作部材に連動連結された補助操作部材を備える請求項１乃至３のいずれか一つに記載の吊具。
【発明の詳細な説明】
【技術分野】
【０００１】
本発明は洗濯物等の被吊物を竿体等の適宜の物体に掛止して吊すための吊具に関する。
【背景技術】
【０００２】
洗濯物等を吊すための吊具は、洗濯物等が吊下げられる吊具本体と、一部を開放してあるフック部を有し、前記吊具本体の中央部に回転自在に取着されて竿体に掛止する掛止部材と、該掛止部材に枢支され、前記フック部の開放口を開閉する開閉部材と、該開閉部材と一体成形され、開閉部材を動作させる操作部材とを備え、該操作部材を把持することにより前記開閉部材を開動作させ、フック部の開放口を開くように構成されている（例えば、特許文献１。）。
【特許文献１】実開平７−３９７９６号公報
【発明の開示】
【発明が解決しようとする課題】
【０００３】
従来の吊具は、掛止部材に枢支された開閉部材と一体に操作部材が設けられており、該操作部材がフック部と吊具本体との間に配置されているため、フック部と吊具本体との間の距離が長くなり、竿体に対する吊具本体の位置を高くすることができなかった。また、吊具本体に回転自在に取着された掛止部材に操作部材が設けられており、吊具本体に対する操作部材の位置が安定しないため、竿体に対して掛脱するとき、操作部材を把持し易い位置に掛止部材を回す必要があり、改善策が要望されていた。
【０００４】
本発明は斯かる事情に鑑みてなされたものであり、主たる目的は開閉部材を動作させる操作部材を吊具本体に取着し、該操作部材の操作力を開閉部材に伝動する伝動手段を設けることにより、フック部と吊具本体との間の距離を短縮でき、適宜の物体に対する吊具本体の位置を高くすることができる吊具を提供することにある。
【０００５】
また、他の目的は操作部材にその一端が当接し、その他端が開閉部材に連動連結された移動軸を設け、該移動軸の周りに、開閉部材を閉方向へ付勢するコイルバネを配することにより、全体を小形化できる吊具を提供することにある。
【０００６】
また、他の目的は吊具本体に回転自在に取着される筒部を掛止部材に設け、該筒部内に移動軸及びコイルバネを収容し、筒部が挿嵌される孔及び操作部材と対向する柄部を吊具本体に設けることにより、フック部に関係なく把持し易い位置に操作部材を位置させることができる吊具を提供することにある。
【０００７】
また、他の目的は操作部材に連動連結された補助操作部材を吊具本体に設けることにより、操作部材を操作することができ難い状況のときでも補助操作部材を操作して開閉部材を開閉動作させることができる吊具を提供することにある。
【課題を解決するための手段】
【０００８】
第１発明に係る吊具は、被吊物が吊下げられる吊具本体と、一部を開放してあるフック部を有し、前記吊具本体を適宜の物体に掛止する掛止部材と、前記フック部の開放口を開閉する開閉部材と、該開閉部材を動作させる操作部材とを備える吊具において、前記操作部材は前記吊具本体に取着されており、該操作部材の操作力を前記開閉部材に伝動する伝動手段を備えることを特徴とする。
【０００９】
第１発明にあっては、操作部材が吊具本体に取着され、該操作部材の操作力を伝動手段により開閉部材に伝動するように構成されているため、フック部と吊具本体との間の距離を短縮でき、適宜の物体に対する吊具本体の位置を高くすることができる。
【００１０】
第２発明に係る吊具は、第１発明において、前記伝動手段は、前記操作部材にその一端が当接し、その他端が前記開閉部材に連動連結された移動軸を備え、該移動軸の周りに、前記開閉部材を閉方向へ付勢するコイルバネを配してあることを特徴とする。
【００１１】
第２発明にあっては、コイルバネ内の空洞に移動軸を収容してあるため、伝動手段を小形化、ひいては吊具を小形化できる。
【００１２】
第３発明に係る吊具は、第１発明又は第２発明において、前記掛止部材は前記吊具本体に回転自在に取着される筒部を有し、該筒部内に前記移動軸及びコイルバネを収容してあり、前記吊具本体は前記筒部が挿嵌される孔及び前記操作部材と対向する柄部を有することを特徴とする。
【００１３】
第３発明にあっては、掛止部材を回すことによりフック部の吊具本体に対する位置を自由に変えることができ、しかも、操作部材の吊具本体に対する位置を固定することができるため、適宜の物体に対して掛脱するとき、フック部に関係なく把持し易い位置に操作部材を位置させることができ、迅速、容易に操作部材を把持することができる。
【００１４】
第４発明に係る吊具は、第１発明乃至第３発明において、前記吊具本体は前記操作部材に連動連結された補助操作部材を備えることを特徴とする。
【００１５】
第４発明にあっては、操作部材と離隔した位置に補助操作部材を配することができるため、操作部材を操作することができ難い状況のときでも補助操作部材を操作して開閉部材を開閉動作させることができる。
【発明の効果】
【００１６】
第１発明によれば、フック部と吊具本体との間の距離を短縮でき、適宜の物体に対する吊具本体の位置を高くすることができる。
【００１７】
第２発明によれば、伝動手段を小形化、ひいては吊具を小形化できる。
【００１８】
第３発明によれば、フック部の吊具本体に対する位置を自由に変えることができ、しかも、フック部に関係なく把持し易い位置に操作部材を位置させることができ、迅速、容易に操作部材を把持することができる。
【００１９】
第４発明によれば、操作部材を操作することができ難い状況のときでも補助操作部材を操作して開閉部材を開閉動作させることができる。
【発明を実施するための最良の形態】
【００２０】
以下、本発明をその実施の形態を示す図面に基づいて詳述する。図１は吊具の構成を示す一部を省略した縦断正面図、図２は掛止部材側部分だけの正面図、図３は図２のIII −III 線の断面図である。
【００２１】
図に示した吊具は洗濯物等の被吊物が吊下げられる杆状の吊具本体１と、該吊具本体１の中央部に回転自在に取着され、竿体等の適宜の物体に掛止するフック部２１を有する掛止部材２と、該掛止部材２に枢支され、フック部２１の開放口２１ａを開閉する開閉部材３と、吊具本体１の中央部に取着され、開閉部材３を動作させる操作部材４と、該操作部材４の操作力を開閉部材３に伝動する伝動手段５とを備える。
【００２２】
吊具本体１は、杆部１１、及び該杆部１１の両端に屈曲部を経て連なる垂下片１２，１２とを有し、表壁１ａ及び該表壁１ａの両側縁に連なる側壁１ｂ，１ｂにより断面逆Ｕ字形をなしており、全体が合成樹脂材料により一体成形されている。杆部１１の長手方向中央部には、表壁１ａを上下に貫通する嵌合孔１３を有する筒部１４と、該筒部１４から垂下され、操作部材４と対向する柄部１５と、側壁１ｂ，１ｂを貫通する軸孔１６とが設けられている。また、杆部１１の長手方向一端部の側壁１ｂ，１ｂには、柄部１５に向けて長孔１７が設けられており、該長孔１７に補助操作部材６を移動自在に支持してある。
【００２３】
掛止部材２は嵌合孔１３に回転自在に内嵌される嵌合部２２ａを有する筒部２２、及び該筒部２２の上端に連なるフック部２１を有しており、合成樹脂材料により一体成形されている。嵌合部２２ａは、径方向に弾性変形させるための複数のスリット２２ｂ、及び抜止凸部２２ｃが設けられており、また、筒部２２の上端にはばね受部２２ｄが設けられている。フック部２１は断面コ字形に形成されており、該フック部２１の基部に、横方向に貫通する軸孔２３が設けられており、該軸孔２３に開閉部材３を枢支してある。
【００２４】
開閉部材３は棒形をなし、一端部に突設された二つの凸部３１と、該凸部３１の近傍に穿設された長孔３２とを有し、凸部３１が軸孔２３に嵌入されている。                     
【００２５】
操作部材４は、軸孔１６に嵌入される枢軸部４１と、該枢軸部４１と偏倚した二つの位置に設けられた当接部４２及び係止部４３とを有しており、柄部１５に接離可能に対向している。
【００２６】
伝動手段５は、筒部２２内に上下移動を自在に収容され、その下端が当接部４２に当接する移動軸５１を備える。該移動軸５１の下端部にはばね受部５１ａが突設され、上端に連動軸部５１ｂが設けられている。連動軸部５１ｂは長孔３２に嵌入され、移動軸５１の上下移動を連動軸部５１ｂから開閉部材３に伝動するように構成されている。移動軸５１の周りで、且つ筒部２２内には、移動軸５１を下方に付勢するコイルバネ７を配してある。
【００２７】
このコイルバネ７は、ばね受部２２ｄ，５１ａにより受止められ、移動軸５１を下方に付勢することにより開閉部材３を閉動作させている。
【００２８】
補助操作部材６は長孔１７に嵌入される長円軸部６１及び該長円軸部６１と偏倚した位置に設けられた係止部６２を有しており、一方の垂下片１２と接離可能に対向している。係止部６２，４３の夫々は貫通孔を有し、各係止部６２，４３には杆状の連結部材８の両端が挿通係止され、該連結部材８により操作部材４及び補助操作部材６を連動連結している。
【００２９】
図４は使用状態を示す要部の断面図、図５は使用状態を示す掛止部材側部分だけの断面図である。以上のように構成された吊具は、コイルバネ７の付勢力により移動軸５１が下方へ付勢され、開閉部材３がフック部２１の開放口２１ａを閉じている。吊具本体１に洗濯物等の被吊物が吊下げられた吊具を竿体等に掛止する場合、操作部材４を柄部１５とともに把持することにより、操作部材４の操作力が当接部４２、移動軸５１、連動軸部５１ｂ、長孔３２を経て開閉部材３に伝動され、該開閉部材３をコイルバネ７の付勢力に打ち勝って開動作させることができ、フック部２１の開放口２１ａを開くことができ、フック部２１の開放口２１ａからフック部２１を竿体等に掛止することができる。この状態で操作部材４の把持力を低減することにより、コイルバネ７が移動軸５１を下方へ移動させ、開閉部材３を閉動作させる。
【００３０】
また、掛止部材２は吊具本体１に回転自在に取着されているのに対し、操作部材４は吊具本体１に取着され、吊具本体１に対する位置が固定されているため、吊下げ場所の状況に応じて吊具本体１に対する掛止部材２の位置が変えられたときであっても、フック部２１に関係なく把持し易い位置に操作部材４を位置させることができ、迅速に操作部材４を把持することができる。
【００３１】
また、掛止部材２が回転自在に取着された吊具本体１に操作部材４を取着してあるため、フック部２１と吊具本体１との間の距離を短縮でき、竿体に対する吊具本体１の位置を高くすることができる。
【００３２】
また、中央部に操作部材４を取着した吊具本体１の一端部に、操作部材４に連動連結された補助操作部材６を取着してあるため、操作部材４を操作することができ難い状況のときでも補助操作部材６を操作して開閉部材３を動作させることができる。
【００３３】
尚、以上説明した実施の形態では掛止部材２を吊具本体１に回転自在に取着したが、その他、掛止部材２は回転しない構成としてもよい。また、操作部材４は吊具本体１に枢軸部４１により枢支したが、その他、例えば薄肉ヒンジにより吊具本体１と一体に成形された構成としてもよい。また、操作部材４と対向する柄部１５を吊具本体１が有する構成としたが、その他、柄部１５をなくし、操作部材４を杆部１１とともに把持する構成としてもよい。また、開閉部材３を閉動作させる手段としてコイルバネ７を用いたが、その他、開閉部材３に板ばねを取付けた構成としてもよいし、また、移動軸５１を操作部材４に連動連結し、操作部材４を柄部１５と離間する方向へ付勢する付勢ばねを備える構成としてもよい。
【図面の簡単な説明】
【００３４】
【図１】本発明に係る吊具の構成を示す一部を省略した縦断正面図である。
【図２】本発明に係る吊具の掛止部材側部分だけの正面図である。
【図３】図２のIII −III 線の断面図である。
【図４】本発明に係る吊具の使用状態を示す要部の断面図である。
【図５】本発明に係る吊具の使用状態を示す掛止部材側部分だけの断面図である。
【符号の説明】
【００３５】
１    吊具本体
１３  嵌合孔（孔）
１５  柄部
２    掛止部材
２１  フック部
２１ａ  開放口
２２  筒部
３    開閉部材
４    操作部材
５    伝動手段
５１  移動軸
７    コイルバネ
【図１】
2007089661.tif 000003
【図２】
2007089661.tif 000004
【図３】
2007089661.tif 000005
【図４】
2007089661.tif 000006
【図５】
2007089661.tif 000007